(57)【要約】 【課題】パネル装置で形成された空間内の利用者の有無を当該利用者にとって煩わしくなく表示することができるとともに、在席表示装置をパネル装置に容易に取り付け可能な間仕切りシステムを提供する。【解決手段】間仕切りシステム１は、作業空間Ｔを形成するように作業空間Ｔの周囲に配置されたパネル装置１０と、パネル装置１０に設けられ、作業空間Ｔ内の在席に係る特定の位置における人体の有無を検知して表示する在席表示装置７０と、を備え、在席表示装置７０は、パネル装置１０の作業空間Ｔを向く第一面１１Ｙに設けられ、特定の位置における人体の有無を検知する検知手段７５と、パネル装置１０の作業空間Ｔと反対側を向く第二面１１Ｖに設けられ、検知手段７５の検知結果に基づいて在席の有無を表示する表示部８０と、検知手段７５と表示部８０とを連結する連結部７１と、を有することを特徴とする。【選択図】図２
2016176309.tif 000002
【特許請求の範囲】
【請求項１】
作業空間を形成するように該作業空間の周囲に配置されたパネル装置と、
該パネル装置に設けられ、前記作業空間内の在席に係る特定の位置における人体の有無を検知して表示する在席表示装置と、を備え、
該在席表示装置は、
前記パネル装置の前記作業空間を向く第一面に設けられ、前記特定の位置における前記人体の有無を検知する検知手段と、
前記パネル装置の前記作業空間と反対側を向く第二面に設けられ、前記検知手段の検知結果に基づいて前記在席の有無を表示する表示部と、
前記検知手段と前記表示部とを連結する連結部と、を有することを特徴とする間仕切りシステム。
【請求項２】
前記表示部は、前記第二面に沿って、前記第二面と略平行をなすように設けられていることを特徴とする請求項１に記載の間仕切りシステム。
【請求項３】
前記パネル装置は、
パネル状の基材と、
前記基材の端部に沿って設けられ、内方に向けて凹んだ凹溝と、を有し、
前記連結部が前記凹溝に嵌合されることにより、前記在席表示装置が前記基材に連結されていることを特徴とする請求項１または２に記載の間仕切りシステム。
【請求項４】
前記作業空間における前記第一面と対向する第三面に沿って、作業面を有する天板が設けられていることを特徴とする請求項１から３のいずれか一項に記載の間仕切りシステム。
【請求項５】
前記第一面に沿って、作業面を有する天板が設けられていることを特徴とする請求項１から３のいずれか一項に記載の間仕切りシステム。
【発明の詳細な説明】
【技術分野】
【０００１】
本発明は、間仕切りシステムに関するものである。
【背景技術】
【０００２】
従来から、オフィスや公共施設等の空間においては、施設内に形成された大空間の一部を小空間に区画することにより、空間利用における自由度を高めることが求められている。一般的に、床面に立設された複数のパネル体が、連結手段を介して互いに連結された間仕切装置により、小空間が区画されている。
【０００３】
また、パネル体を平面視コ字状に設置することにより、独立性の高い個別空間が簡易的かつ容易に形成される。この個別空間を利用する利用者は、個別空間の外部にいる他人の視線を気にすることなく、集中して執務を行うことができる。
【０００４】
利用者がより集中して執務を行うためには、個別空間を形成するパネル体の高さを、利用者の視線の高さよりも高く設定することが好ましい。一方、パネル体の高さが高い場合に、他の利用者が個別空間内に利用者がいるか否かを判断するためには、個別空間近くまで近づいて内部を視認する必要があり、不便である。
【０００５】
そこで、パネル体に設置され個別空間内の利用者の有無を検知する人感センサーと、人感センサーの検知結果に基づいて利用者の有無を点灯・消灯により表示する表示部と、を有する在席表示装置が提案されている（下記特許文献１から３参照）。
【先行技術文献】
【特許文献】
【０００６】
【特許文献１】実開平２−１１１８８９号公報
【特許文献２】実公平５−３３９８８号公報
【特許文献３】特公平７−１１８３７号公報
【発明の概要】
【発明が解決しようとする課題】
【０００７】
上記の特許文献１から３に記載のパネル体等のパネル装置に設けられた在席表示装置では、表示部がパネル装置の上端部の上方に設けられているため、利用者がパネル装置側を見れば視界に表示部が入ってくる。このため、利用者にとっては点灯したり、消灯したりする表示部が煩わしく、集中して作業をすることができない可能性がある。
また、特許文献１に記載の在席表示装置は、表示部と人感センサーとがそれぞれ別々にパネル装置に取り付けられているため、取付作業が煩雑であるという問題点がある。
【０００８】
本発明は、上記事情に鑑みてなされたものであり、パネル装置で形成された空間内の利用者の有無を当該利用者にとって煩わしくなく表示することができるとともに、在席表示装置をパネル装置に容易に取り付け可能な間仕切りシステムを提供するものである。
【課題を解決するための手段】
【０００９】
上記目的を達成するために、本発明は以下の手段を採用している。
すなわち、本発明に係る間仕切りシステムは、作業空間を形成するように該作業空間の周囲に配置されたパネル装置と、該パネル装置に設けられ、前記作業空間内の在席に係る特定の位置における人体の有無を検知して表示する在席表示装置と、を備え、該在席表示装置は、前記パネル装置の前記作業空間を向く第一面に設けられ、前記特定の位置における前記人体の有無を検知する検知手段と、前記パネル装置の前記作業空間と反対側を向く第二面に設けられ、前記検知手段の検知結果に基づいて前記在席の有無を表示する表示部と、前記検知手段と前記表示部とを連結する連結部と、を有することを特徴とする。
【００１０】
このように構成された間仕切りシステムでは、検知手段はパネル装置の作業空間を向く第一面に設けられているため、パネル装置で形成された作業空間内の特定の位置における人体の有無を検知することができる。また、検知手段の検知結果に基づいて在席の有無を表示する表示部はパネル装置の作業空間と反対側を向く第二面に設けられているため、作業空間内にいる利用者は第二面に設けられた表示部を視認できない。このため、表示部が在席の有無を点灯・消灯により表示したとしても、利用者の視界に表示部が入らない。よって、パネル装置で形成された空間内の利用者の有無を当該利用者にとって煩わしくなく表示することができる。
また、例えば検知手段と表示部とが分離して構成されている場合には、検知手段及び表示部それぞれをパネル装置に取り付ける必要があるが、本発明では検知手段と表示部とは連結部を介して一体的に連結されているため、在席表示装置の一部分をパネル装置に取り付ければ検知手段及び表示部はパネル装置に取り付けられる。よって、在席表示装置をパネル装置に容易に取り付けることができる。
【００１１】
また、本発明に係る間仕切りシステムは、前記表示部は、前記第二面に沿って、前記第二面と略平行をなすように設けられていることが好ましい。
【００１２】
このように構成された間仕切りシステムでは、表示部が作業空間と反対側を向く第二面に沿って第二面と略平行をなすように設けられているため、表示部の第二面から突出寸法を抑えることができる。よって、在席表示装置を体裁よく納めることができるとともに、コンパクトな構成とすることができる。
【００１３】
また、本発明に係る間仕切りシステムは、前記パネル装置は、パネル状の基材と、前記基材の端部に沿って設けられ、内方に向けて凹んだ凹溝と、を有し、前記連結部が前記凹溝に嵌合されることにより、前記在席表示装置が前記基材に連結されていてもよい。
【００１４】
このように構成された間仕切りシステムでは、在席表示装置の連結部がパネル装置の基材の端部に設けられた凹溝に嵌合されることで、在席表示装置はパネル装置の基材に取り付けられる。よって、パネル体に加工等を設けることなく、在席表示装置をパネル体に簡易な構成で取り付けることができる。
【００１５】
また、本発明に係る間仕切りシステムは、前記作業空間における前記第一面と対向する第三面に沿って、作業面を有する天板が設けられていてもよい。
【００１６】
このように構成された間仕切りシステムでは、パネル装置で形成された作業空間内において、利用者は第一面と対向する第三面に沿って設けられた天板に向かって作業をする。在席表示装置の表示部は第一面と反対側の第二面に設けられているため、天板に向かう利用者からは表示部が視認できない。よって、天板に向かって作業をする利用者は、表示部が視界に入らないため、集中して作業をすることができる。
【００１７】
また、本発明に係る間仕切りシステムは、前記第一面に沿って、作業面を有する天板が設けられてもよい。
【００１８】
このように構成された間仕切りシステムでは、作業空間内において、利用者は、在席表示装置の検知手段が設けられたパネル装置の第一面に沿う天板に向かって作業をする。よって、例えば、利用者が天板上で使用する電子機器等の配線と、在席表示装置の配線とを一まとめにすることができるため、配線の配置・管理効率を向上させることができる。
また、例えば、作業空間における第一面と対向する側が壁等である場合には、第一面と対向する側にまでパネル装置を配置しなくても間仕切りシステムが成立する。よって、このような場合にも本間仕切りシステムを適用することができる。
【発明の効果】
【００１９】
本発明に係る間仕切りシステムによれば、パネル装置で形成された空間内の利用者の有無を当該利用者にとって煩わしくなく表示することができるとともに、在席表示装置をパネル装置に容易に取り付けることができる。
【図面の簡単な説明】
【００２０】
【図１】本発明の一実施形態に係る間仕切りシステムの全体構成を示す斜視図である。
【図２】図１のＡ−Ａ矢視図である。
【図３】図１のＢ−Ｂ矢視図である。
【図４】本発明の一実施形態に係る間仕切りシステムのパネル体の構成を示す斜視展開図である。
【図５】本発明の一実施形態に係る間仕切りシステムの在席表示装置を表示部側から見た斜視図である。
【図６】本発明の一実施形態に係る間仕切りシステムの在席表示装置を検知手段側から見た斜視図である。
【図７】本発明の一実施形態に係る間仕切りシステムの在席表示装置を表示部側から見た分解斜視図である。
【図８】本発明の一実施形態に係る間仕切りシステムのパネル体の上部付近の縦断面図である。
【図９】図８のＣ−Ｃ矢視図である。
【図１０】本発明の一実施形態に係る間仕切りシステムの在席表示装置の構成を示す図である。
【図１１】本発明の一実施形態の変形例に係る間仕切りシステムにおいて図１のＡ−Ａ矢視図に相当する図である。
【発明を実施するための形態】
【００２１】
以下、本発明の実施形態に係る間仕切りシステムについて説明する。
図１は、本発明の一実施形態に係る間仕切りシステムの全体構成を示す斜視図である。
図１に示すように、ブース型什器（間仕切りシステム）１は、オフィス等の執務空間に設置されるものである。本実施形態では、ブース型什器１が５個隣接配置されて第一列が形成され、第一列と間隔を有してブース型什器１が５個隣接配置されて第二列が形成されている。第一列と第二列との間は、通路Ｐとされている。
【００２２】
図２は、図１のＡ−Ａ矢視図である。図３は、図１のＢ−Ｂ矢視図である。
図１、図２、図３に示すように、各ブース型什器１は、パネル装置１０と、天板６０と、在席表示装置７０と、を備えている。
なお、以下の説明において、利用者Ｕが、ブース型什器１の天板６０に対向する側を前方、その反対側を後方、前方と後方を結ぶ方向に対して水平面内で直交する方向を幅方向と称する。
第一列と第二列とでは、利用者Ｕが互いに背中を対向させるようにして、ブース型什器１が配置されている。
【００２３】
（間仕切り装置）
各パネル装置１０は、各ブース型什器１の前側に配置され幅方向に直線状に延びるパネル体１１Ａと、パネル体１１Ａの幅方向一端側に連結され前後方向に直線状に延びるパネル体１１Ｂと、パネル体１１Ｂの後端部に連結され湾曲して幅方向に延びるパネル体１１Ｃとで形成されている。
【００２４】
第一列及び第二列に配置されたブース型什器１，１…のうち、幅方向の一端部（図１に示す紙面左端）のブース型什器１においては、パネル体１１Ａの幅方向他端側にも前後方向に直線状に延びるパネル体１１Ｄが連結されている。さらに、パネル体１１Ｄの後端部には、前後方向に直線状に延びるパネル体１１Ｅが連結して配置されている。
【００２５】
パネル装置１０，１０…は、互いに幅方向に隣接配置されている。詳細には、隣接するパネル装置１０のパネル体１１Ａの幅方向の一端部及びパネル体１１Ｂの前端部には、隣接するパネル装置１０のパネル体１１Ａの幅方向の他端部が連結されている。
【００２６】
また、各パネル装置１０のパネル体１１Ｃの端部と、隣接するパネル装置１０のパネル体１１Ｃとの間には空間部Ｓが形成されている。第一列及び第二列に配置されたブース型什器１，１…のうち、幅方向の一端部（図１に示す紙面左端）のブース型什器１においては、パネル体１１Ｃの端部とパネル体１１Ｅとの間には、出入口空間部Ｓが形成されている。
【００２７】
このようにして、各ブース型什器１のパネル体１１Ａ，１１Ｂ，１１Ｃ及び隣接するブース型什器１のパネル体１１Ｂ，１１Ｃにより、他の空間と区画された個別の作業空間Ｔが形成されている。また、第一列及び第二列に配置されたブース型什器１，１…のうち、幅方向の一端部（図１に示す紙面左端）のブース型什器１では、パネル体１１Ａ，１１Ｂ，１１Ｃ，１１Ｄ，１１Ｅにより、作業空間Ｔが形成されている。各作業空間Ｔへは、通路Ｐから出入口空間部Ｓを通って出入りすることができる。
【００２８】
（パネル体）
図４は、ブース型什器１のパネル体１１の構成を示す斜視展開図である。パネル体１１は、パネル体１１Ａ，１１Ｂ，１１Ｃ，１１Ｄ，１１Ｅの総称である。この図４おいては、パネル体１１は、パネル体１１Ａ，１１Ｂ，１１Ｄ，１１Ｅのような平板状のものを表している。パネル体１１Ｃのような一部が平面視湾曲しているものは、後述するフレーム２０の上下の枠材２１Ｃ，２１Ｄを，パネル体１１の形状に合わせて湾曲させる。
図４に示すように、パネル装置１０を構成する各パネル体１１は、パネル基材（基材）１２と、パネル基材１２の両面に沿って設けられたクッション材１３と、パネル基材１２およびクッション材１３を覆う表皮材１４と、固定部材（凹溝）３０と、を備えている。
【００２９】
（パネル基材）
パネル基材１２は、パネル状の芯材１５と、芯材１５の外周部に沿って設けられたフレーム２０と、芯材１５およびフレーム２０の両面を覆うように設けられたベースシート１８と、を備えている。
【００３０】
芯材１５は、例えば紙系材料、樹脂系材料、木質系材料等から形成されている。この芯材１５は、なるべく軽量とするのが好ましい。そこで、本実施形態では、芯材１５は、紙系材料から形成され、板厚方向に貫通する孔１５ｈが多数並設された、例えば断面六角形状の孔１５ｈが複数千鳥状に組み合わされたハニカム構造とされている。
【００３１】
（フレーム）
この芯材１５の外周部には、フレーム２０が設けられている。フレーム２０は、芯材１５の四辺に沿って設けられた枠材２１Ａ，２１Ｂ，２１Ｃ，２１Ｄを備えている。各枠材２１Ａ，２１Ｂ，２１Ｄ，２１Ｄは、金属系材料、樹脂系材料等から形成されている。
枠材２１Ａ，２１Ｂは、芯材１５において互いに対向する２辺に沿って上下方向に延在し、パネル体１１の幅方向両側に設けられている。枠材２１Ｃ，２１Ｄは、枠材２１Ａ，２１Ｂに直交して横方向に延在し、パネル体１１の上下方向両側に設けられている。これら枠材２１Ａ，２１Ｂと枠材２１Ｃ，２１Ｄとは、Ｌ字状のブラケット２２を介し、ボルト（不図示）、あるいは溶接、接着等によって接合されている。これら枠材２１Ａ，２１Ｂ，２１Ｃ，２１Ｄによって、全体として矩形状をなしたフレーム２０が形成されている。
【００３２】
各枠材２１Ａ，２１Ｂ，２１Ｃ，２１Ｄは、断面略Ｕ字状で、パネル体１１の内方に向けて凹んだ溝２５を有している。このようにして、パネル体１１は、その外周端部に沿って連続し、パネル基材１２の内方に向けて凹んだ溝２５を有している。
【００３３】
フレーム２０および芯材１５を覆うように、芯材１５の両面には、シート状のベースシート１８が設けられている。ベースシート１８は、例えばボール紙等から形成されている。
【００３４】
（クッション材）
クッション材１３は、パネル基材１２の表面を形成するベースシート１８に沿って設けられている。クッション材１３は、ベースシート１８を介して、芯材１５の全体を覆うように設けられている。
このクッション材１３は、柔軟性および弾性を有した材料、例えば発泡ウレタン材等から形成されている。
【００３５】
クッション材１３には、複数の貫通孔１６が形成されている。貫通孔１６は、例えば、上下方向を長軸方向とした長円形状とされている。そして、クッション材１３の外表面１３ｆには、複数の貫通孔１６が、上下方向および上下方向に直交する横方向に、間隔を空けて配列されている。
各貫通孔１６は、クッション材１３においてパネル基材１２とは反対側を向く外表面１３ｆからパネル基材１２側に対向する対向面１３ｇまで、クッション材１３の厚さ方向に貫通して形成されている。
【００３６】
（表皮材）
表皮材１４は、クッション材１３の全体を覆うよう設けられている。表皮材１４が、クッション材１３に形成された複数の貫通孔１６に沿うことで、パネル体１１の表面には、複数の長円形状の凹部１７（図３参照）が形成されている。そして、各凹部１７において、表皮材１４は、貫通孔１６を通して、パネル基材１２の表面を形成するベースシート１８に接着されている。
ここで、表皮材１４は、例えばポリエステル等、弾性変形可能な材質で形成され、伸長した状態でクッション材１３及びパネル基材１２を覆っている。
【００３７】
上記クッション材１３および表皮材１４により、パネル基材１２の表面を覆う、パネル体１１の表面を形成する表層部１９が構成されている。
【００３８】
（固定部材）
固定部材３０は、溝２５に嵌め込まれている。固定部材３０は、パネル基材１２の内方に向けて凹んだ形状をなしている。クッション材１３および表皮材１４の外周端部は、溝２５の内側に巻き込まれている。固定部材３０は、溝２５内側に巻き込まれたクッション材１３および表皮材１４の外周端部を、溝２５の内周面と固定部材３０の外周面との間に挟み込んでいる。これにより、クッション材１３および表皮材１４の外周端部をフレーム２０に固定している。
【００３９】
ここで、固定部材３０は、矩形状のパネル基材１２の外周部の直線部分に配置される直線部固定部材３０Ｓと、矩形状のパネル基材１２の外周部のコーナー部に配置されるコーナー部固定部材３０Ｃと、を備えている。
【００４０】
パネル体１１の上部両端部においては、コーナー部固定部材３０Ｃは、溝２５に対し、コーナーキャップ４０によって固定されている。
コーナーキャップ４０は、ボルト４５により、コーナー部固定部材３０Ｃ、枠材２１Ｃ、ブラケット２２と一体に締結されている。
【００４１】
また、パネル体１１の下部両端部のコーナー部に配置されるコーナー部固定部材３０Ｃには、下方に向けて延びる支持脚取付部５０が形成されている。
【００４２】
パネル装置１０において互いに隣接するパネル体１１，１１は、隣接するパネル体１１，１１の側端部同士が、図示しない連結部材によって互いに連結されている。
【００４３】
（天板）
図１、図２に示すように、天板６０は、一定の厚さを有した板状に形成され、上面が作業面とされている。天板６０は、前端部がパネル体１１Ａの後面（第三面）１１Ｘに沿って配置され、幅方向端部がパネル体１１Ｂの側面に沿って配置されている。天板６０は、パネル体１１の上端部１１ｔと下端部１１ｓとの中間部の高さに配置されている。天板６０は、下面を支持する支柱（不図示）やパネル体１１から延びる支持ブラケット（不図示）等により支持されている。
天板６０の後方には、利用者Ｕが着座可能な椅子６１が設置されている。
【００４４】
（在席表示装置）
図５はブース型什器１の在席表示装置７０を表示部側から見た斜視図である。図６は、ブース型什器１の在席表示装置７０を検知手段側から見た斜視図である。図７は、ブース型什器１の在席表示装置７０を表示部側から見た分解斜視図である。図８は、ブース型什器１のパネル体１１Ｃの上部付近の縦断面図である。図９は、図８のＣ−Ｃ矢視図である。図１０は、在席表示装置７０の構成を示す図である。
図５から図１０に示すように、在席表示装置７０は、図示しない電源供給部に接続され、パネル体１１Ｃの上端部１１ｔに取り付けられている。在席表示装置７０は、パネル体１１の上端部１１ｔに係止されるブラケット（連結部）７１と、ブラケット７１に取り付けられたベース部材７３及びボード部材（表示部）８０と、ボード部材８０に設けられた発光部７６と、ベース部材７３を覆うカバー部材８３と、を有している。ベース部材７３は作業空間Ｔを向くパネル体１１Ｃの前面（第一面）１１Ｙに沿って設けられるとともに、ボード部材８０はパネル体１１Ｃの後面（第二面）１１Ｖに沿って設けられている。
【００４５】
ブラケット７１は、パネル体１１Ｃの上端部１１ｔに設けられた固定部材３０の内周形状に沿うＵ字状部７１Ａと、Ｕ字状部７１Ａから幅方向両側に延びた後、パネル体１１Ｃのクッション材１３や表皮材１４とに沿う湾曲プレート部７１Ｂ，７１Ｃと、有している。
【００４６】
Ｕ字状部７１Ａは、固定部材３０の底部に沿って配置される底壁部７１Ｐと、底壁部７１Ｐの両端からそれぞれ立設された側壁部７１Ｑと、を有している。
【００４７】
湾曲プレート部７１Ｂは、パネル体１１Ｃの前面１１Ｙに沿って配置されている。湾曲プレート部７１Ｃは、パネル体１１Ｃの後面１１Ｖに沿って配置されている。
【００４８】
湾曲プレート部７１Ｂ，７１Ｃの間隔が、パネル体１１Ｃの厚さよりも小さく設定されている。これにより、ブラケット７１をパネル体１１Ｃの上方からパネル体１１Ｃに押し込むと、クッション材１３が押しつぶされ、湾曲プレート部７１Ｂ，７１Ｃにより、パネル体１１Ｃが挟み込まれる。このようにして、ブラケット７１は固定部材３０に嵌合されている。
【００４９】
ベース部材７３は、正面視矩形状に形成されたベース部７４と、ベース部７４に設けられた検知手段７５及び制御部７７と、を有している。
【００５０】
ベース部７４には、板厚方向に貫通する取付孔７４Ｘが形成されている。ブラケット７１の湾曲プレート部７１Ｂに形成された取付孔７１Ｘから挿通されたネジ（不図示）がベース部７４の取付孔７４Ｘに螺合されている。これにより、ベース部材７３はブラケット７１に取り付けられている。
【００５１】
検知手段７５は、作業空間Ｔ内の在席に係る特定の位置における人体等の人体の有無を検知する。検知手段７５は、作業空間Ｔ内の人体の有無を検知可能な検知面７５Ａを有している。
例えば、検知手段７５は、赤外線センサーを有し、赤外線センサーが温度変化を検知した場合に、作業空間Ｔ内に人がいる（人体が有る）と判定する。この赤外線センサーは、人体の動きを検知する焦電型のものであってよいし、人体からの反射を検知する反射型のものであってもよいし、人体までの距離を測定する測距型のものであってもよい。また、赤外線センサーは、人体の温度を計測するサーモパイルであってもよい。
また、検知手段７５は、超音波センサーを有し、人体までの距離を計測して、超音波の発信から受信までに要した時間と音速との関係から作業空間Ｔ内に人がいるか否かを判定するものであってもよい。また、検知手段７５は、マイクロ波から人体の心拍を測定することにより、作業空間Ｔ内に人がいるか否かを判定するものであってもよい。また、検知手段７５は、カメラを有し、任意の登録形状と参照して作業空間Ｔ内に人がいるか否かを判定するパターンマッチングであってもよいし、直前の画像と比較するものであってもよい。
【００５２】
制御部７７は、検知手段７５の検知結果に基づいて、後述する発光部７６の発光を制御する。
【００５３】
カバー部材８３は、正面視矩形状に形成されている。カバー部材８３は、ベース部材７３の前面側に嵌合されている。カバー部材８３には、ベース部７４に設けられた検知手段７５及び制御部７７を覆うように、ベース部材７３に嵌め込まれている。
【００５４】
カバー部材８３には、板厚方向に貫通する検知孔８３Ｋが形成されている。この検知孔８３Ｋの上端を形成する上壁部８４は、検知手段７５の検知面７５Ａの上端７５Ｙに連続するように設けられている。また、上壁部８４の下面は、水平面に沿って配置されている。また、検知孔８３Ｋの下端を形成する下壁部８５は、検知手段７５の検知面７５Ａの下端７５Ｚに連続するように設けられている。また、下壁部８５は、ブース型什器１の後方から前方に向かうにしたがって次第に下方に向かって傾斜している。
【００５５】
図２及び図８に示すように、上記の在席表示装置７０では、検知孔８３Ｋの上端を形成する上壁部８４が検知手段７５の検知面７５Ａの上端７５Ｙに連続するように設けられているため、検知手段７５が検知可能な検知範囲Ｚの上限Ｚ１は、検知手段７５の高さと同一である。そして、検知範囲Ｚの上限Ｚ１は、パネル体１１Ａの上部であり、本実施形態ではパネル体１１Ａの上端部１１ｔよりもわずかに下方に設定されている。
なお、検知手段７５の検知範囲Ｚの上限は、パネル体１１Ａの上端部１１ｔ以下の高さに設定されていることが好ましい。さらに好ましくは、検知手段７５の検知範囲Ｚの上限は、パネル体１１Ａの上端部１１ｔ（線Ｚ２参照）から、椅子６１に通常の姿勢で着座する利用者Ｕの頭部と検知手段７５とを結ぶ線Ｚ３とパネル体１１Ａとの交差する点１１Ｚとの間のいずれかに設定されていればよい。
【００５６】
図５から図１０に示すように、ボード部材８０は、正面視縦長矩形状をなし、板状に形成されている。ボード部材８０は、パネル体１１Ｃの後面１１Ｖに沿って、パネル体１１Ｃの後面１１Ｖと略平行をなすように設けられている。本実施形態では、ボード部材８０は、アクリル板により構成されている。ボード部材８０の縁部には、表面８０Ｂから裏面８０Ｆに向かって面取られた傾斜面８０Ａが一周形成されている。発光部７６が発光すると光が傾斜面８０Ａで乱反射するため、傾斜面８０Ａのみが光るように構成されている。
【００５７】
ボード部材８０には、裏面８０Ｆから表面８０Ｂに向かって凹む凹部８０Ｐが形成されている。この凹部８０Ｐには、発光部７６が埋め込まれている。本実施形態では、発光部７６は、幅方向に長い基板７６Ａと、基板７６Ａに設けられた複数の発光ダイオード７６Ｂ（Light Emitting Diode；LED）とで構成されている。また、ボード部材８０の上端部における表面８０Ｂ側には、保護カバー８２が設けられている。
【００５８】
図７、図８、図１０に示すように、発光部７６と制御部７７とは、一対のケーブル７８により電気的に接続されている。詳細には、一対のケーブル７８は、それぞれ一端が発光部７６の幅方向両端部に接続されている。そして、幅方向中央側に集約され、パネル体１１Ｃの上端部１１ｔに沿って、ブラケット７１の湾曲プレート部７１Ｃに設けられた挿通孔７１Ｄに挿通される。挿通孔７１Ｄに挿通された一対のケーブル７８は、湾曲プレート部７１Ｃの下面に沿って延び、Ｕ字状部７１Ａの一方の側壁部７１Ｑに形成された挿通孔７１Ｅに挿通され、Ｕ字状部７１Ａの表面に沿って延び、他方の側壁部７１Ｑに形成された挿通孔７１Ｆに挿通される。挿通孔７１Ｆに挿通された一対のケーブル７８は、ブラケット７１の湾曲プレート部７１Ｂに形成された挿通孔７１Ｇに挿通されて、ベース部材７３の図示しない挿通孔に挿通され、一対のケーブル７８の他端はそれぞれ制御部７７に接続されている。
【００５９】
上記に記載の在席表示装置７０において、例えば、検知手段７５は、作業空間Ｔ内に人体が有ると判断した場合には、在席（在席有）判定を制御部７７に出力する。制御部７７は、在席判定に基づいて発光部７６に発光指令を出力する。発光部７６は、発光指令に基づいて発光する。一方、検知手段７５は、作業空間Ｔ内に人体が無いと判断した場合には、不在（在席無）判定を制御部７７に出力する。制御部７７は、不在判定に基づいて発光部７６に発光停止指令を出力する。発光部７６は、発光停止指令に基づいて発光を停止（消灯）する。
【００６０】
このように構成されたブース型什器１では、検知手段７５はパネル体１１Ｃの作業空間Ｔを向く前面１１Ｙに設けられているため、パネル体１１Ｃで形成された作業空間Ｔ内の人体の有無を検知することができる。また、検知手段７５の検知結果に基づいて在席の有無を表示するボード部材８０はパネル体１１Ｃの作業空間Ｔと反対側を向く後面１１Ｖに設けられているため、作業空間Ｔ内にいる利用者Ｕは後面１１Ｖに設けられたボード部材８０を視認できない。ボード部材８０が在席の有無を発行・消灯により表示しても、利用者Ｕの視界にボード部材８０が入らない。よって、パネル体１１Ｃで形成された空間内の利用者Ｕの有無を当該利用者Ｕにとって煩わしくなく表示することができる。
【００６１】
また、例えば検知手段７５とボード部材８０とが分離して構成されている場合には、検知手段７５及びボード部材８０それぞれをパネル体１１Ｃに取り付ける必要があるが、本発明では検知手段７５とボード部材８０とはブラケット７１を介して一体的に連結されているため、ブラケット７１をパネル体１１Ｃの固定部材３０に嵌合すれば検知手段７５及びボード部材８０はパネル体１１Ｃに取り付けられる。よって、在席表示装置７０をパネル体１１Ｃに容易に取り付けることができる。
【００６２】
また、在席表示装置７０のブラケット７１がパネル体１１Ｃのパネル基材１２の上端部１１ｔに設けられた固定部材３０に嵌合されることで、在席表示装置７０はパネル体１１Ｃに取り付けられる。よって、パネル体１１Ｃに加工等を設けることなく、在席表示装置７０をパネル体１１Ｃに簡易な構成で取り付けることができる。
【００６３】
また、ボード部材８０が作業空間Ｔと反対側を向く後面１１Ｖに沿って後面１１Ｖと略平行をなすように設けられているため、ボード部材８０の後面１１Ｖから突出寸法を抑えることができる。よって、在席表示装置７０を体裁よく納めることができるとともに、コンパクトな構成とすることができる。
【００６４】
また、パネル体１１Ｃで形成された作業空間Ｔ内において、利用者Ｕは後面１１Ｖと対向するパネル体１１Ａの後面１１Ｘに沿って設けられた天板６０に向かって作業をする。在席表示装置７０のボード部材８０は、パネル体１１Ｃの後面１１Ｖに設けられているため、天板６０に向かう利用者Ｕからはボード部材８０が視認できない。よって、天板６０に向かって作業をしている利用者Ｕは、ボード部材８０が視界に入らないため、集中して作業をすることができる。
【００６５】
（変形例）
次に、上記に示す実施形態の変形例について、主に図１１を用いて説明する。
なお、以下の変形例において、前述した実施形態で用いた部材と同一の部材には同一の符号を付して、その説明を省略する。
図１１は、本発明の一実施形態の変形例に係る間仕切りシステムにおいて図１のＡ−Ａ矢視図に相当する図である。
【００６６】
図１１に示すように、本変形例において、ブース型什器１Ｘは、壁Ｗに沿って配置されている。ブース型什器１Ｘは、パネル体１１Ｇと、パネル体１１Ｇに沿って配置された天板６０と、パネル体１１Ｇに設けられた在席表示装置７０と、を備えている。
【００６７】
パネル体１１Ｇは、パネル体１１Ｃのように湾曲形成されている。パネル体１１Ｇは、壁Ｗと平行に形成され直線状をなす直線部１１Ｈと、直線部１１Ｈに連続し湾曲形成された湾曲部（不図示。以下同じ）と、湾曲部に連続し直線状をなし壁Ｗに連結される直線部（不図示。以下同じ。）と、を有している。このパネル体１１Ｇと壁Ｗとの間には、作業空間Ｔが形成されている。
【００６８】
天板６０は、パネル体１１Ｇの直線部１１Ｈにおける壁Ｗを向く面、換言すると作業空間Ｔを向く面（第一面）１１Ｙに沿って設けられている。
【００６９】
天板６０上には、利用者が使用可能な電子機器Ｄが載置されている。この電子機器ＤのケーブルＣ１と、在席表示装置７０のケーブルＣ２とは、一まとまりにされている。例えば、ケーブルＣ１及びケーブルＣ２が、パネル体１１Ｇの内方に向けて凹んだ形状をなす固定部材３０内に配置されていることが好ましい。これにより、ケーブルＣ１及びケーブルＣ２の露出を抑えることができる。
あるいは、天板６０には、電源タップ（不図示。以下同じ。）が設けられ、この電源タップに電子機器ＤのケーブルＣ１及び在席表示装置７０のケーブルＣ２が接続されることで、ケーブルＣ１とケーブルＣ２とが一まとまりにされる構成であってもよい。
【００７０】
在席表示装置７０のボード部材８０は、パネル体１１Ｇの直線部１１Ｈの通路Ｐ側の面１１Ｖに設けられている。また、在席表示装置７０の検知手段７５は、パネル体１１Ｇの直線部１１Ｈの作業空間Ｔを向く面１１Ｙに設けられている。
【００７１】
このように構成されたブース型什器１Ｘでは、天板６０は、パネル体１１Ｇの作業空間Ｔを向く面１１Ｙに沿って設けられている。作業空間Ｔ内において、利用者Ｕは、パネル体１１Ｇの面１１Ｙに沿う天板６０に向かって作業をする。また、在席表示装置７０の検知手段７５は、パネル体１１Ｇの面１１Ｙに設けられている。よって、利用者Ｕが天板６０上で使用する電子機器等ＤのケーブルＣ１と、在席表示装置７０のケーブルＣ２とを一まとめにすることができるため、ケーブルＣ１，Ｃ２の配置・管理効率を向上させることができる。
また、作業空間Ｔにおけるパネル体１１Ｇの面１１Ｙと対向する側が壁Ｗであるため、壁Ｗ側に他のパネル体を設けなくてもブース型什器１Ｘが成立する。よって、このような場合にもブース型什器１Ｘを設けることができる。
【００７２】
なお、上述した実施の形態において示した各構成部材の諸形状や組み合わせ等は一例であって、本発明の主旨から逸脱しない範囲において設計要求等に基づき種々変更可能である。
【００７３】
例えば、上記に示す実施形態において、間仕切り装置は、複数のパネル体が連結されて構成されているが、本発明はこれに限られない。一対の対向面を有するように一枚のパネル体が円弧状や平面視コ字状に湾曲、屈曲形成されて構成されていてもよい。
【００７４】
また、上記に示す実施形態において、在席表示装置７０のブラケット７１がパネル体１１Ｃの固定部材３０に嵌合されることで、在席表示装置７０はパネル体１１Ｃに取り付けられているが、本発明はこれに限られない。例えば、連結部がパネル体にネジにより螺合されていたり、検知手段の裏面及び表示部の裏面がパネル体に面ファスナーにより取り付けられていてもよい。
【００７５】
また、上記に示す実施形態において、在席表示装置７０はパネル体１１Ｃの上端部１１ｔに設けられているが本発明はこれに限られない。検知手段が作業空間を向く面に設けられるとともに表示部が作業空間と反対側を向く面に設けられていれば、例えば連結部がパネル体１１Ｃの幅方向の端部に取り付けられるように構成されていてもよい。
【符号の説明】
【００７６】
１  ブース型什器（間仕切りシステム）
１０  パネル装置
１１  パネル体
１１Ｘ  パネル体１１Ａの後面（第三面）
１１Ｙ  パネル体１１Ｃの前面（第一面）
１１Ｖ  パネル体１１Ｃの後面（第二面）
１２  パネル基材（基材）
１３  クッション材
１４  表皮材
１９  表層部
２５  溝
３０  固定部材（凹溝）
６０  天板
７０  在席表示装置
７１  ブラケット（連結部）
７５  検知手段
８０  ボード部材（表示部）
Ｔ  作業空間
Ｕ  利用者
【図１】
2016176309.tif 000003
【図２】
2016176309.tif 000004
【図３】
2016176309.tif 000005
【図４】
2016176309.tif 000006
【図５】
2016176309.tif 000007
【図６】
2016176309.tif 000008
【図７】
2016176309.tif 000009
【図８】
2016176309.tif 000010
【図９】
2016176309.tif 000011
【図１０】
2016176309.tif 000012
【図１１】
2016176309.tif 000013